(57)【要約】【課題】天井埋込形空気調和機の据付け高さを、空気調和器機本体に化粧パネルを取付けた後でも化粧パネルに大きな開口部を設けることなく簡単かつ容易に調整することができる天井埋込形空気調和機を得る。【解決手段】複数の吊りボルト３と、前面に化粧パネル２が取付けられ本体調整具Ａにより吊りボルト３に吊り下げられた空気調和機本体１とを有し、本体調整具Ａを、吊りボルト３に固定された吊り金具５と、空気調和機本体１に固定され吊り金具５に沿って上下に移動する固定金具４と、吊り金具５に螺入され固定金具４に遊嵌して上下方向の移動が規制された調整ネジ６とによって構成した。このとき、本体調整具Ａの下部に位置する化粧パネル２に、調整ネジ６を回動させる調整工具１１を挿入する貫通孔９を設けた。【選択図】図２
2006250419.tif 000002
【特許請求の範囲】
【請求項１】
複数の吊りボルトと、前面に化粧パネルが取付けられ本体調整具により前記吊りボルトに吊り下げられた空気調和機本体とを有し、
前記本体調整具を、前記吊りボルトに固定された吊り金具と、前記空気調和機本体に固定され前記吊り金具に沿って上下に移動する固定金具と、前記吊り金具に螺入され前記固定金具に遊嵌して上下方向の移動が規制された調整ネジとによって構成したことを特徴とする天井埋込形空気調和機。
【請求項２】
前記調整ネジが螺合された吊り金具を前記固定金具に設けたガイドレールに沿って上下動させることを特徴とする請求項１記載の天井埋込形空気調和機。
【請求項３】
前記本体調整具の下部に位置する化粧パネルに、調整ネジを回動させる調整工具を挿入する貫通孔を設けたことを特徴とする請求項１または２記載の天井埋込形空気調和機。
【請求項４】
前記の貫通穴を塞ぐ穴ふさぎ具を設けたことを特徴とする請求項３記載の天井埋込形空気調和機。
【発明の詳細な説明】
【技術分野】
【０００１】
本発明は、化粧パネルの取り付け後も本体高さの調整を容易に行うことができる天井埋込形空気調和機に関する。
【背景技術】
【０００２】
従来の天井埋込形空気調和機は、空気調和機本体の外側に固定された金具をナットにより吊りボルトに固定して空気調和機本体を吊り下げていた。この場合、空気調和機本体の高さ調整は、本体の下方から金具を上下に移動させておこなっていた（例えば、特許文献１参照）。あるいは、化粧パネルを取付けた後に、空気調和機本体の吹出口内側から金具高さを調整していた（例えば、特許文献２参照）。
【０００３】
【特許文献１】特開平７−１９５９２号公報（第２−３頁、図２）
【特許文献２】特開平１０−２０５８７９号公報（第２−３頁、図１）
【発明の開示】
【発明が解決しようとする課題】
【０００４】
特許文献１に示す天井埋込形空気調和機では、空気調和機本体を吊りボルトに固定した後に空気調和機本体の下面に化粧パネルを取り付けるが、化粧パネルと天井との間に隙間がある場合などは、据え付け高さを調整するために、再び化粧パネルを取り外さなければならなかった。また、特許文献２に示す天井埋込形空気調和機では、化粧パネルを取り付けた後に、空気調和機本体の吹出口内側から金具高さを調整するが、調整操作が必ずしも容易ではなかった。
このため、化粧パネル取付け後も高さを調整するために、化粧パネルに手が入る大きさの調整専用の開口部を設けておき、その開口部から天井裏に手を入れて、ナット位置を直接に調整する場合もあったが、通常の空気調和機の運転状態では、この開口部を覆う大型の部材が必要であった。
【０００５】
本発明は、上記のような課題を解決するためになされたもので、天井埋込形空気調和機の据付け高さを、空気調和機本体に化粧パネルを取付けた後でも化粧パネルに大きな開口部を設けることなく簡単かつ容易に調整することができる天井埋込形空気調和機を得ることを目的とする。
【課題を解決するための手段】
【０００６】
本発明に係る天井埋込形空気調和機は、複数の吊りボルトと、前面に化粧パネルが取付けられ本体調整具により吊りボルトに吊り下げられた空気調和機本体とを有し、本体調整具を、吊りボルトに固定された吊り金具と、空気調和機本体に固定され吊り金具に沿って上下に移動する固定金具と、吊り金具に螺入され固定金具に遊嵌して上下方向の移動が規制された調整ネジとによって構成したものである。
【発明の効果】
【０００７】
本発明は、調整ネジによって上下動する本体調整具を有するので、化粧パネルを取り付けた後に、化粧パネルに設けた貫通穴を通して本体調整具の調整ネジを回動させ、空気調和機本体の据付け高さの調整をおこなうことができるので、据付け高さ調整の作業性を大幅に改善することができる。また、本体調整具の調整ネジを回動させるためには、化粧パネルに小さい貫通孔を設けるだけでよく、据付け高さを調整するために化粧パネルに手が入る大きさの孔を設ける必要もなく、このため通常運転時にそれを覆うカバーが不要となり、構造が簡易化される。
【発明を実施するための最良の形態】
【０００８】
実施の形態１．
図１は本発明の実施の形態１に係る天井埋込形空気調和機を天井に取付けた状態を示す説明図、図２は図１の本体調整具を示す要部正面図である。図１に示すように、天井埋込形空気調和機は、前面（図の下面）に化粧パネル３が取付けられて天井板１５に設けた開口部１６に挿入され、一端が建物躯体等に取付けられた複数の吊りボルト３に空気調和機本体調整具Ａ（以下、本体調整具Ａという）より吊り下げられて固定されている。
【０００９】
空気調和機本体１を吊りボルト３に吊り下げる本体調整具Ａは、図２に示すように、空気調和機本体１に固定した断面ほぼコ字状で上下にそれぞれ挿通穴を有する上腕部４ａと下腕部４ｂを備えた固定金具４と、固定金具４の内壁に沿って上下方向に移動するほぼＬ字状で上下にそれぞれネジ穴が設けられた長腕部５ａと短腕部５ｂを有する吊り金具５とを備えている。そして、固定金具４の下腕部４ｂのネジ挿通穴から挿入された調整ネジ６が吊り金具５の短腕部５ｂ，長腕部５ａのネジ穴に螺入され、固定金具４の上腕部４ａのネジ挿通穴に挿通されて、ナット６ｂにより回転可能、上下方向へ移動不能に保持されている。
【００１０】
なお、固定金具４の上下の腕部４ａ，４ｂに設けたネジ挿通穴の内径は調整ネジ６の外径より大きく形成されているので、調整ネジ６を回転させると、これに螺合された吊り金具５は、固定金具４に沿って上下方向に移動する。吊り金具５は、その長腕部５ａがワッシャー７を介してナット８によって吊りボルト３に固定されている。
また、化粧パネル２には、吊りボルト調整金具の調整ネジ６を化粧パネル２の下からドライバー１１を通して回動させるための貫通孔９が設けられ、貫通孔９にはその下部を塞ぐ穴ふさぎピース（穴ふさぎ具）１０が設けられている。
【００１１】
次に本体調整具Ａの作用について説明する。天井埋込形空気調和機の化粧パネル２に設置した貫通穴９の穴ふさぎピース１０を外し、貫通孔９より調整工具であるドライバー１１を通して調整ネジ６のネジ頭６ａにドライバー１１を差し込んで回転する。このとき、吊り金具５は吊りボルト３に固定されているため、空気調和機本体１に固定された固定金具４が吊り金具５に沿って上下方向に移動することになり、化粧パネル２を取り外すことなく、空気調和機本体１を上下に移動させて据付け高さを調整することができる。また、高さ調整の際に、天井裏に手を入れてナット８を調整する必要がないので、化粧パネル２に手が入る程の大きな開口部を設ける必要がなく、ドライバー１１が貫通できる程度の貫通孔９と、それをふさぐ小さな穴ふさぎピース１０を設置するだけでよいため、大幅な構造の簡易化をはかることができる。
【００１２】
実施の形態２．
図３は本発明の実施の形態２に係る天井埋込形空気調和機の吊りボルト調整金具を示す要部正面図である。実施の形態１では、吊り金具５に対して固定金具４を調整ネジ６の回動によって上下に移動させるようにしたが、本実施の形態２では固定金具４に吊り金具５をガイドする可動金具ガイドレール４ｃ（以下、ガイドレールという）を設けたものである。なお、実施の形態１と同一部分には同じ符号を付し、説明を省略する。
【００１３】
図３に示すように、ガイドレール４ｃを有する固定金具４は空気調和機本体１に固定され、下部腕４ｂには調整ネジ６の外径より大径のネジ挿通穴が設けられており、上腕部４ｂは省略されている。また、固定金具４のガイドレール４ｃに沿って配設された吊り金具５の短腕部５ｂには、調整ネジ６が螺入されるネジ穴が設けられている。そして、固定金具４の下腕部４ｂに設けたネジ挿通穴に挿入した調整ネジ６を、吊り金具５の下腕部５ｂに設けたネジ穴に螺入して回転させれば、吊り金具５は固定金具４のガイドレール４ｃに沿って上下方向に移動する。
【００１４】
上記のように構成した本実施の形態２において、天井埋込形空気調和機の化粧パネル２に設置した貫通穴９の穴ふさぎピース１０を外し、貫通孔９より調整工具であるドライバー１１を通して調整ネジ６のネジ頭６ａにドライバー１１を差し込んで回転する。このとき、吊り金具５は吊りボルト３に固定されているため、空気調和機本体１に固定された固定金具４が吊り金具５に沿って上下方向に移動するので、化粧パネル２を外すことなく、空気調和機本体１を上下方向に移動させて据付高さを移動させることができる。
【００１５】
こうして、化粧パネル２の貫通孔９にドライバー１１を通して調整ネジ６を回転すると、固定金具４のガイドレール４ｃが吊り金具５に沿って移動するので、空気調和機本体１の荷重をガイドレール４ｃによっても受けることとなり、調整ネジ６にかかる応力を低減し、調整ネジ６の回転を容易にすることができる。
【図面の簡単な説明】
【００１６】
【図１】本発明の実施の形態１に係る天井埋込形空気調和機を天井に取付けた状態を示す説明図である。
【図２】図１の本体調整具を示す要部正面図である。
【図３】本発明の実施の形態２に係る天井埋込形空気調和機の本体調整具を示す要部正面図である。
【符号の説明】
【００１７】
１  空気調和機本体、２  化粧パネル、３  吊りボルト、４  固定金具、４ｃ  可動金具ガイドレール（ガイドレール）、５  吊り金具、６  調整ネジ、９  貫通孔、１０  穴ふさぎピース（穴ふさぎ具）、１１  ドライバー（調整工具）、Ａ  本体調整具。
【図１】
2006250419.tif 000003
【図２】
2006250419.tif 000004
【図３】
2006250419.tif 000005